(57)【特許請求の範囲】
【請求項１】
少なくとも計時用の演算素子、表示素子及び操作スイッチを含む弱電回路部品、並びに、電源が接続される電源接続端子と負荷が接続される負荷接続端子とを具備した端子台及び負荷への電源供給をオン／オフする負荷制御用のリレーを含む強電回路部品が実装された１枚の基板と、上ケース部及び下ケース部からなり内部に前記基板が収納されるケースとを備え、前記端子台は、前記端子台及び前記下ケース部にそれぞれ設けた嵌合部を互いに嵌合させることによって前記下ケース部に固定され、前記上ケース部は、前記上ケース部又は前記下ケース部の何れか一方に設けた係合爪を他方に設けた係合孔に係合させることによって前記嵌合部を覆うように前記下ケース部と結合し、前記上ケース部及び前記下ケース部に、組立状態において前記基板を両側から挟持する挟持手段を設け、前記上ケース部は、前記表示素子及び前記操作スイッチを前面側に露出させる開口部を有し、前記下ケース部は、前記基板の組み込み方向に沿ってそれぞれ設けられ前記端子台をガイドする端子台ガイド部及び前記基板をガイドする基板ガイド部と、前記基板の組み込み方向において前記端子台が当接する端子台受け部及び前記基板が当接する基板受け部とを備えたことを特徴とするタイムスイッチ。
【発明の詳細な説明】
【技術分野】
【０００１】
本発明は、予め設定した時刻において負荷を制御するタイムスイッチに関するものである。
【背景技術】
【０００２】
従来より、１枚のプリント基板に弱電回路部品及び強電回路部品を実装したタイムスイッチが提供されている（例えば特許文献１、２参照）。これらのタイムスイッチは、１枚のプリント基板の一方の面に計時用の演算素子や表示素子や操作スイッチなどの弱電回路部品を実装するとともに、他方の面に負荷制御用のリレーや電源接続端子及び負荷接続端子を具備した端子台などの強電回路部品を実装しており、さらに特許文献２のタイムスイッチは、ボディの前面側を下にした状態で後面側から上記プリント基板がボディ内に組み込まれる。
【０００３】
また、プリント基板を下ケースにねじ固定したタイムスイッチも提案されている（例えば特許文献３参照）。このタイムスイッチは、プリント基板に液晶表示器及び操作スイッチなどを具備した時計機能ブロックや負荷制御用のリレーや電源接続端子及び負荷接続端子を具備した端子台などが実装されており、このプリント基板は四隅において下ケースにねじ固定されてケース内に収納される。
【特許文献１】実開平３−５１３９５号公報（第７頁、及び、第２図）
【特許文献２】特開平２−２６９９９４号公報（第９頁−第１０頁、及び、第２８図）
【特許文献３】特開平１１−１３４９９０号公報（段落［０００５］、及び、第１５図）
【発明の開示】
【発明が解決しようとする課題】
【０００４】
上述の特許文献３に示したタイムスイッチでは、プリント基板は下ケースにねじ固定されているが、端子台はプリント基板にのみ固定されているため、端子台の各接続端子に電源線や負荷からの電線を接続する際の端子ねじの締付力が大きい場合には、プリント基板と端子台の接続部分に大きな応力が加わり、プリント基板が曲がる虞があった。さらに、プリント基板を下ケースにねじ固定しているので、組立性がよくないという問題もあった。
【０００５】
また、特許文献２に示したタイムスイッチでは、プリント基板をボディ内に組み込む際にボディの前面側を下にした状態で後面側から組み込んでいるため、組み込み時に加えられる押圧力によってボディの表面が傷つけられる虞があった。
【０００６】
さらに、これらのタイムスイッチでは、プリント基板をケース内に組み込む際に、回路部分に手が触れることで手の脂が回路部分に付着し、脂が付着した部分が腐食することによって回路の短絡や断線などが起こる虞があった。
【０００７】
本発明は上記問題点に鑑みて為されたものであり、その目的とするところは、組立性を向上させつつ基板の腐食を防止し、且つ、基板に応力が加わることがなく見栄えを向上させたタイムスイッチを提供することにある。
【課題を解決するための手段】
【０００８】
請求項１の発明は、少なくとも計時用の演算素子、表示素子及び操作スイッチを含む弱電回路部品、並びに、電源が接続される電源接続端子と負荷が接続される負荷接続端子とを具備した端子台及び負荷への電源供給をオン／オフする負荷制御用のリレーを含む強電回路部品が実装された１枚の基板と、上ケース部及び下ケース部からなり内部に基板が収納されるケースとを備え、端子台は、端子台及び下ケース部にそれぞれ設けた嵌合部を互いに嵌合させることによって下ケース部に固定され、上ケース部は、上ケース部又は下ケース部の何れか一方に設けた係合爪を他方に設けた係合孔に係合させることによって嵌合部を覆うように下ケース部と結合し、上ケース部及び下ケース部に、組立状態において基板を両側から挟持する挟持手段を設け、上ケース部は、表示素子及び操作スイッチを前面側に露出させる開口部を有し、下ケース部は、基板の組み込み方向に沿ってそれぞれ設けられ端子台をガイドする端子台ガイド部及び基板をガイドする基板ガイド部と、基板の組み込み方向において端子台が当接する端子台受け部及び基板が当接する基板受け部とを備えたことを特徴とする。
【発明の効果】
【００１０】
請求項１の発明によれば、端子台及び下ケース部にそれぞれ設けた嵌合部を互いに嵌合させるだけで端子台を下ケース部に固定することができるので、固定ねじを用いて固定する場合と比較して組立性を向上させることができ、また端子台に電源や負荷からの電線を接続する際に端子台に加わる力を上ケース部及び下ケース部で受けることで基板に応力が加わりにくくなるという効果がある。さらに、基板は固定ねじを用いてねじ固定しておらず、上ケース部及び下ケース部の挟持手段のみで保持しており、端子台からの力が基板に加わった場合でも挟持方向と直交する方向に基板を移動させることができるので、基板に応力が加わることがなく、また周囲温度の変化に応じて基板を伸縮させることもできるという効果がある。また、上ケース部を上記嵌合部に当接させた場合には、上ケース部によって嵌合部の移動を規制することができるので、端子台を強固に固定することができるという効果がある。
【００１１】
さらに、下ケース部側に基板受け部、端子台受け部、基板ガイド部及び端子台ガイド部を設けており、基板を下ケース部側に組み込む際に加わる力を下ケース部側で受けているので、表示素子や操作スイッチが露出する上ケース部の表面が傷つけられることがなく、見栄えを向上させたタイムスイッチを提供することができるという効果がある。また、下ケース部に対して基板、上ケース部の順に組立てることで組立性のよいタイムスイッチを提供することができるという効果もある。さらに、下ケース部に基板を組み込む際に基板の端部を持って基板受け部に載せるだけでいいので、回路部分に手が触れることがなく、したがって手の脂が基板に付着して回路部分が腐食するのを防止することができるという効果がある。
【発明を実施するための最良の形態】
【００１２】
本発明の実施形態を図１〜図９に基づいて説明する。本実施形態のタイムスイッチは、例えば接続された負荷Ｌ（例えば、照明など）を予め設定した時刻にオン／オフするために用いられる。尚、以下の説明では特に断りがない限り、図３中の矢印ａ−ｂの方向を前後方向、矢印ｃ−ｄの方向を上下方向、矢印ｅ−ｆの方向を左右方向として説明を行う。
【００１３】
このタイムスイッチは、図２及び図３に示すように前面側が開口するボディ（下ケース部）２と、後面側が開口しボディ２の開口を閉塞する形でボディ２に被着されるカバー（上ケース部）３と、ボディ２とカバー３とを結合することで形成されるケース１内に収納される基板ブロック４とを備えている。
【００１４】
基板ブロック４は、後述するタイマ回路５が形成された基板３８と、電源接続端子３６、３６及び負荷接続端子３７、３７を有する端子台ブロック６とで構成されている。図８はタイマ回路５のブロック図を示しており、タイマ回路５は、マイクロコンピュータからなり、計時用発振部３０からのクロック信号に基づいて現在の曜日や現在時刻を計時する時計部３１、及び、所望の時刻に負荷Ｌを制御するためのプログラムが格納されたプログラム記憶部３３が内蔵された制御部１７と、複数のプッシュ型ボタンからなる設定用スイッチ部１３と、スライドスイッチからなるモード切替スイッチ１６と、スライドスイッチからなる動作設定スイッチ１５と、液晶ディスプレイからなる液晶表示部１２と、複数のＬＥＤからなるＬＥＤ表示部１４（１４ａ、１４ｂ）と、電源接続端子３６、３６を介して入力された商用電源ＡＣから動作電源を生成する電源部３５と、商用電源ＡＣの停電を検出する停電検出部２８と、商用電源ＡＣの停電時に制御部１７に電源を供給する停電補償電源部３９と、負荷接続端子３７、３７を介して接続された負荷Ｌへの電源供給を制御部１７からのオン／オフ指令にしたがってオン／オフする出力部１９と、制御部１７の動作をリセットするリセット部２９と、制御部１７を動作させるクロック信号を生成する発振部３２とを備えている。尚、本実施形態のタイマスイッチでは、動作条件として所望の曜日を設定することもでき、例えば毎週月曜日の午前８時に負荷Ｌをオンさせるようなプログラムを設定することも可能である。
【００１５】
電源部３５は、図８に示すように電源接続端子３６、３６から入力される商用電源ＡＣを降圧する降圧回路３５ａと、降圧した入力電圧を直流変換して動作電源として上記各部へ供給する直流変換回路３５ｂとで構成され、電源の通電時には通電状態表示部１４ｂが点灯する。また、停電検出部２８により商用電源ＡＣの停電が検出されると、停電補償電源部３９からの電源供給に切り替わるようになっている。
【００１６】
また、出力部１９は、図８に示すように制御部１７からのオン／オフ指令にしたがって駆動信号を生成するドライブ回路１９ｂと、この駆動信号によって接点がオン／オフするリレー１９ａとで構成され、負荷Ｌはリレー１９ａの接点を介して電源に接続されており、リレー１９ａのオン／オフに応じて電源供給のオン／オフが切り替えられる。すなわち、リレー１９ａがオンして負荷Ｌへ電源が供給されている運転状態と、リレー１９ａがオフして負荷Ｌへ電源が供給されていない停止状態とが制御部１７によって制御されているのである。さらに、負荷Ｌを運転状態に制御しているときは出力状態表示部１４ａが点灯する。
【００１７】
また、図５及び図８に示すように一方の電源接続端子３６とリレー１９ａの一方の出力端子１９ｃとの間は帯板状に形成された導電部材２０により電気的に接続され、一方の負荷接続端子３７とリレー１９ａの他方の出力端子１９ｃとの間は帯板状に形成された導電部材２１により電気的に接続されている。
【００１８】
端子台ブロック６は、図２〜図４に示すように、例えば合成樹脂からなる横長の端子台９を有し、端子台９の長手方向中央部にはタイムスイッチのケース１を被取付部に取付けるための固定ねじ２５が挿通されるねじ挿通凹部９ｂが凹設され、ねじ挿通凹部９ｂの上部にはねじ孔９ｄが形成されている。また、ねじ挿通凹部９ｂを間にして長手方向両側には、前面及び下面が開口し電源接続端子３６、３６及び負荷接続端子３７、３７を構成する端子金具１０及び端子ねじ１１が収納される端子収納部９ｃがそれぞれ２個ずつ設けられており、隣接する端子収納部９ｃ、９ｃ間には端子間の絶縁を確保するための絶縁壁９ａがそれぞれ設けられている。さらに、端子台９の幅方向に沿う両側壁には、ボディ２に突設した端子台ガイド片２ｋが挿通されるガイド溝９ｅが設けられ、各ガイド溝９ｅ内には端子台ガイド片２ｋに貫設した嵌合孔（嵌合部）２ｐと嵌合する嵌合突起（嵌合部）９ｆがそれぞれ外向きに突設されている。尚、本実施形態では、図３中の左側に配置した２個の端子が電源接続端子３６、３６を構成し、右側に配置した２個の端子が負荷接続端子３７、３７を構成している。
【００１９】
基板ブロック４を構成する基板３８はプリント基板であって、図２、図４及び図５に示すように略矩形板状の基板本体３８ａを有し、基板本体３８ａの一端側には端子台ブロック６を基板本体３８ａに実装する際に端子台９を載置するための端子台載置部（図示せず）が一体に形成されている。尚、この端子台載置部は、端子台ブロック６を基板本体３８ａに実装した後、基板本体３８ａから切り離される。
【００２０】
基板本体３８ａの前面において上部の左寄りには図２に示すように液晶表示部１２が配置されており、この液晶表示部１２は現在の時刻状態（例えば、現在の曜日、現在時刻、時刻カウント動作ドットなど）やタイマの設定状態（例えば、タイマを設定する時刻や負荷の動作状態を示す「入」、「切」など）などを表示する。また、基板本体３８ａの前面において液晶表示部１２の下部には複数のプッシュ型ボタン１３ａで構成された設定用スイッチ部１３が配置されており、各プッシュ型ボタン１３ａの押操作により所望の曜日や時刻に負荷Ｌをオン／オフさせるプログラムが設定される。尚、各プッシュ型ボタン１３ａは、押圧された導電ゴムが基板本体３８ａに形成された導電パターン４２（図５参照）に導通することによって、オン／オフ操作される所謂導電ゴムスイッチが用いられる。
【００２１】
さらに、基板本体３８ａの前面において液晶表示部１２及び設定用スイッチ部１３の右側には、負荷Ｌの出力状態を表示するＬＥＤからなる出力状態表示部１４ａ、スライド操作に応じて自動動作、連続入動作、連続切動作、手動一時入動作又は手動一時切動作の何れかの動作を設定する動作設定スイッチ１５、電源の通電状態を表示するＬＥＤからなる通電状態表示部１４ｂ、並びに、現在時刻を表示する時計表示モード、タイマを設定するタイマ設定モード又は現在時刻を設定する時計設定モードの何れかのモードに切替えられるモード切替スイッチ１６が上下方向に並んで配置されている。
【００２２】
ここに、自動動作とは、制御部１７がプログラム記憶部３３に記憶しているプログラムに基づいて時計部３１で計時している現在時刻とプログラムで設定された時刻（設定時刻）とを比較し、現在時刻が設定時刻に一致すると負荷を運転又は停止させる負荷制御動作のことをいい、連続入動作とは、制御部１７がプログラムに基づく運転／停止制御に関係なく負荷の運転状態を連続的に維持する負荷制御動作のことをいい、連続切動作とは、制御部１７がプログラムに基づく運転／停止制御に関係なく負荷の停止状態を連続的に維持する負荷制御動作のことをいう。また、手動一時入動作とは、制御部１７がプログラムに基づく運転／停止制御に関係なく停止状態の負荷を一時的に運転状態にする負荷制御動作のことをいい、手動一時切動作とは、制御部１７がプログラムに基づく運転／停止制御に関係なく運転状態の負荷を一時的に停止状態にする負荷制御動作のことをいう。尚、手動一時入動作は、動作設定スイッチ１５の操作部を自動動作の位置（図３中の真ん中の位置）から連続入動作の位置（図３中の上側の位置）に切替えた後、所定時間内に再び自動動作の位置に戻すことで設定され、手動一時切動作は、動作設定スイッチ１５の操作部を自動動作の位置から連続切動作の位置（図３中の下側の位置）に切替えた後、所定時間内に再び自動動作の位置に戻すことで設定される。
【００２３】
基板本体３８ａの後面には、図１及び図５に示すように下部の右寄りに出力部１９を構成するリレー１９ａが配置され、リレー１９ａの下部には端子台ブロック６が配置されている。また、リレー１９ａの一方（図５中の左側）の出力端子１９ｃと端子台ブロック６の一方の電源接続端子３６との間は、後面に配置された導電部材２０を介して電気的に接続され、リレー１９ａの他方（図５中の右側）の出力端子１９ｃと端子台ブロック６の一方の負荷接続端子３７との間は、後面に配置された導電部材２１を介して電気的に接続されている。すなわち、本実施形態の基板本体３８ａには、前面に液晶表示部１２及びＬＥＤ表示部１４を構成する表示素子や制御部１７を構成する演算素子２３や各操作スイッチ（設定用スイッチ部１３、動作設定スイッチ１５、モード切替スイッチ１６）などの弱電回路部品が配置されるとともに、後面にリレー１９ａや端子台ブロック６や導電部材２０、２１などの強電回路部品が配置されている。
【００２４】
導電部材２０は、図１及び図５に示すように略Ｌ字状の主片２０ａを有し、主片２０ａの両端部には電源接続端子３６を構成する端子金具１０の先端部１０ａが挿通される挿通孔（図示せず）が貫設された接続部２０ｂ、及び、リレー１９ａの出力端子１９ｃが挿通される挿通孔（図示せず）が貫設された接続部２０ｃがそれぞれ一体に設けられている。また、各接続部２０ｂ、２０ｃと主片２０ａとの間には、主片２０ａにおける接続部２０ｂ、２０ｃとの連結部位を斜め下方に折り曲げることによって前後方向（基板本体３８ａの厚み方向）に段差が設けられている。さらに、主片２０ａにおいて接続部２０ｃ側の部位には、前面側（基板本体３８ａ側）に突出し基板本体３８ａに貫設した固定孔（図示せず）にそれぞれ差し込まれる一対の固定爪２０ｆ、２０ｆが一体に設けられている。
【００２５】
また、導電部材２１は、図５に示すように略Ｉ字状の主片２１ａを有し、主片２１ａの両端部には負荷接続端子３７を構成する端子金具１０の先端部１０ａが挿通される挿通孔（図示せず）が貫設された接続部２１ｂ、及び、リレー１９ａの出力端子１９ｃが挿通される挿通孔（図示せず）が貫設された接続部２１ｃがそれぞれ一体に設けられている。また、各接続部２１ｂ、２１ｃと主片２１ａとの間には、主片２１ａにおける接続部２１ｂ、２１ｃとの連結部位を斜め下方に折り曲げることによって前後方向（基板本体３８ａの厚み方向）に段差が設けられている。さらに、主片２１ａにおいて接続部２１ｃ側の部位には、前面側（基板本体３８ａ側）に突出し基板本体３８ａに貫設した固定孔（図示せず）に差し込まれる固定爪２１ｆが一体に設けられている。
【００２６】
一方、基板本体３８ａにおいて、導電部材２０の接続部２０ｂ及び導電部材２１の接続部２１ｂに対応する部位にはそれぞれ切欠部３８ｄが貫設され、接続部２０ｃ及び接続部２１ｃに対応する部位にはそれぞれ略矩形状の開口部３８ｃが貫設されている。
【００２７】
而して、導電部材２０を基板本体３８ａに取付ける場合には、接続部２０ｂを切欠部３８ｄに、接続部２０ｃを開口部３８ｃにそれぞれ填め込むとともに、各固定爪２０ｆを対応する固定孔にそれぞれ差し込んで嵌合させると、導電部材２０が基板本体３８ａに取付けられる。この時、各接続部２０ｂ、２０ｃはその表面が基板本体３８ａの後面と略同じ高さとなるように配置されている。尚、導電部材２１についても導電部材２０と同様にして基板本体３８ａに取付けられるため、説明は省略する。
【００２８】
ボディ２は、例えば厚みが薄い略矩形箱状の合成樹脂成形品であって、ボディ２の長手方向一端側（図４中の上側）の底面において幅方向中央部には、タイムスイッチのケース１を被取付部に取付けるための固定ねじ２５が挿通されるねじ挿通孔２ｃが貫設され、ボディ２の長手方向他端側（図４中の下側）の底面には、端子台ブロック６をガイドするための一対の端子台ガイド壁２ｇ、２ｇが左右方向に並べて突設されている。而して、ボディ２の長手方向において、これらの端子台ガイド壁２ｇ、２ｇに対して上側に基板本体３８ａを収納するための基板収納部２ｈが形成され、端子台ガイド壁２ｇ、２ｇに対して下側には端子台ブロック６を収納するための端子台収納部２ｂ、２ｂが形成される。
【００２９】
また、ボディ２の基板収納部２ｈ側において長手方向に沿う両側壁及び幅方向に沿う側壁には、基板本体３８ａの下面が当接する当接面を有する基板受け部２ｅが前面側に向かって複数（本実施形態では４個）突設されており、幅方向に沿う側壁側の各基板受け部２ｅの先端部には、基板本体３８ａをガイドする基板ガイド部２ｍがそれぞれ一体に設けられている。尚、各基板ガイド部２ｍの内側面は斜め下方に傾斜する傾斜面になっており、基板本体３８ａはボディ２内に組み込む際に端縁をこの傾斜面に当接させながら組み込まれる。この時、基板本体３８ａの端部を持って基板受け部２ｅの当接面に載せるだけでいいので、回路部分に手が触れることがなく、したがって手の脂が基板本体３８ａに付着して回路部分が腐食するのを防止することができる。
【００３０】
さらに、ボディ２の長手方向に沿う両側壁には、外側に向かって突出する係合爪２ｄがそれぞれ長手方向に沿って所定の間隔で２個ずつ設けられており、またボディ２の長手方向他端側（図４中の下側）において端子台収納部２ｂ、２ｂ間には、端子台９に設けたねじ挿通凹部９ｂと連通するねじ挿通凹部２ａが凹設されている。また、ボディ２の端子台収納部２ｂ側において長手方向に沿う両側壁には、端子台９の両側壁にそれぞれ設けたガイド溝９ｅ内に挿通される端子台ガイド片２ｋが前面側に向かってそれぞれ突設され、各端子台ガイド片２ｋには端子台９の嵌合突起９ｆが嵌合する嵌合孔２ｐがそれぞれ貫設されている。尚、長手方向に沿う各側壁において、端子台ガイド片２ｋは同じ側に設けられた係合爪２ｄよりも内側に位置するように設けられている。また、各端子台収納部２ｂの底面には、組立状態において端子台９の下面が当接する略円筒状の端子台受け部２ｎがそれぞれ２個ずつ設けられている。ここに、端子台ガイド壁２ｇ、２ｇと、端子台ガイド片２ｋ、２ｋとで端子台ガイド部が構成されている。
【００３１】
また、ボディ２の裏面の長手方向中央部には、図１に示すようにタイムスイッチのケース１をＤＩＮレール（図示せず）に取付けるための取付溝２ｊが幅方向（図１中の前後方向）に沿って設けられており、さらにボディ２の裏面の長手方向一端側（図１中の左側）には、レール取付具８が取付けられている。また、取付溝２ｊにおいてレール取付具８と反対側の端縁には、内側に向かって突出する係止突部２ｌが一体に設けられている。
【００３２】
レール取付具８は例えば合成樹脂成形品であって、図１及び図２に示すように縦長の略Ｉ字状の主片８ｄを有し、主片８ｄの先端側には主片８ｄと交差する方向に延出するばね体８ｃが一体に設けられている。このレール取付具８は、ボディ２の底面に設けられた溝（図示せず）内に主片８ｄを挿通させることでボディ２に取付けられ、主片８ｄはこの溝に沿って、取付溝２ｊ内に挿入されて取付溝２ｊの底面との間でＤＩＮレールの一方の係止片を挟持してＤＩＮレールを保持する保持位置と、取付溝２ｊ内から後退してＤＩＮレールの保持を解除する解除位置との間で進退自在に移動できるようになっている。
【００３３】
而して、ケース１をＤＩＮレールに取付ける場合には、ＤＩＮレールの幅方向一端側の係止片を取付溝２ｊの底面と係止突部２ｌとの間に差し込んだ状態で他端側の係止片を主片８ｄの先端部８ｂに当接させながらＤＩＮレールを取付溝２ｊ側に押し込むと、ＤＩＮレールからの押圧力により主片８ｄが外側（図１中の左側）に移動するとともにばね体８ｃが外側に付勢され、さらにＤＩＮレールを押し込んで他端側の係止片が取付溝２ｊの底面と主片８ｄの先端部８ｂとの間に配置されると、ばね体８ｃからの反力（図１中の右方向の力）により主片８ｄが内側（図１中の右側）に移動し、ＤＩＮレールの他端側の係止片が取付溝２ｊの底面と主片８ｄの先端部８ｂとの間に挟持されて、ケース１がＤＩＮレールに取付けられる。
【００３４】
逆に、ケース１をＤＩＮレールから取り外す場合には、ばね体８ｃからの反力に抗してレール取付具８を取付溝２ｊ内から後退（図１中の左側に移動）させると、上記他端側の係止片の挟持状態が解除されて、ＤＩＮレールからケース１が取り外される。
【００３５】
また、レール取付具８の主片８ｄには、図２に示すように下端側（先端部８ｂと反対側）に固定ねじ２５が挿通されるねじ挿通孔８ａが貫設されており、このねじ挿通孔８ａと上述したボディ２のねじ挿通孔２ｃにそれぞれ挿通した固定ねじ２５、２５を用いて被取付部にねじ固定することもできる。ここにおいて、レール取付具８は、図３に示すようにケース１の下側の側面から外側へ突出しないように、ねじ挿通孔８ａが設けられた部位をねじ挿通凹部９ｂ、ねじ挿通凹部２ａ及びねじ挿通凹部３ｃで構成されるねじ挿通凹部内に配置している。
【００３６】
カバー３は、上下方向及び左右方向の寸法がボディ２と略同寸法に形成された略矩形箱状の合成樹脂成形品であって、ボディ２に被着することでボディ２とともにケース１を形成する。カバー３の長手方向一端側（図２中の上側）には、ボディ２のねじ挿通孔２ｃと連通するねじ挿通孔３ａが設けられ、カバー３の前面においてねじ挿通孔３ａの下部には、操作部表示シート７が固着される略矩形状の取付凹所３ｌが設けられている。また、取付凹所３ｌの底面において液晶表示部１２に対応する部位には、液晶表示部１２の表示内容を前方から視認可能とする略矩形状の開口窓（開口部）３ｄが設けられ、この開口窓３ｄの下部には設定用スイッチ部１３を構成する各プッシュ型ボタン１３ａの操作部を前面側に露出させる複数の孔からなる露出部（開口部）３ｅが設けられている。また、開口窓３ｄ及び露出部３ｅの右側には、出力状態表示部１４ａ及び通電状態表示部１４ｂに対応する部位にＬＥＤからの光を前面側に露光するための露光窓（開口部）３ｆ、３ｈがそれぞれ設けられるとともに、動作設定スイッチ１５及びモード切替スイッチ１６に対応する部位に各スイッチの操作部に取付けられる摘み１８を配置するための溝３ｇ、３ｊがそれぞれ設けられ、溝３ｇ、３ｊの底部には上記各スイッチの操作部を前面側に露出させる露出孔（開口部）が貫設されている。これらの露光窓３ｆ、３ｈ及び溝３ｇ、３ｊは、取付凹所３ｌ内において上下方向に並んで設けられている。尚、摘み１８は、上記各スイッチの操作性を向上させるために取付けられるものであり、溝３ｇ、３ｊ内に上下方向に移動自在に配置される。
【００３７】
さらに、カバー３の長手方向他端側（図２中の下側）には、端子台ブロック６を露出するための切欠部３ｂが設けられ、切欠部３ｂの上部には各端子の名称（本実施形態では、電源及び負荷）が記載されたネームプレート２７が取付けられている。また、カバー３の長手方向他端側において幅方向中央部には、側壁を内側に略コ字型に折り曲げて形成され、端子台９に設けたねじ挿通凹部９ｂ及びボディ２に設けたねじ挿通凹部２ａと連通するねじ挿通凹部３ｃが設けられている。さらに、カバー３の長手方向に沿う両側壁においてボディ２に設けた係合爪２ｄに対応する部位には、係合爪２ｄが係合する係合孔３ｋが設けられており、ボディ２の前面側からカバー３を被着するとともに、各係合爪２ｄを対応する係合孔３ｋにそれぞれ係合させることでケース１が組立てられる。
【００３８】
また、カバー３の内側面においてボディ２の各基板受け部２ｅに対応する部位には、基板押さえ部３ｍがそれぞれ突設されており、ケース１を組立てた状態では図１に示すように基板本体３８ａが基板受け部２ｅの当接面（上面）と基板押さえ部３ｍの下面との間で挟持される。ここに、ボディ２の基板受け部２ｅと、カバー３の基板押さえ部３ｍとで挟持手段が構成されている。
【００３９】
操作部表示シート７は、例えばアクリル樹脂などにより略矩形シート状に形成され、液晶表示部１２、出力状態表示部１４ａ及び通電状態表示部１４ｂに対応する部位には表示内容やＬＥＤからの光が前面側から視認できるように透明部７ａ、７ｂがそれぞれ設けられている。また、設定用スイッチ部１３、動作設定スイッチ１５及びモード切替スイッチ１６に対応する部位には、各スイッチの操作部を露出させる露出孔７ｃ、７ｄが設けられており、さらに透明部７ｂ、露出孔７ｃ、７ｄの近傍には、各スイッチのモードやＬＥＤの表示対象などを示す文字列２６が例えば印刷により形成されている。この操作部表示シート７は、取付凹所３ｌ内に配置された状態でカバー３に固着され、上記摘み１８はこの操作部表示シート７とカバー３との間に挟まれた状態で溝３ｇ、３ｊ内に配置される。
【００４０】
カバー３の前面側には、図１に示すように前面カバー２２が取付けられる。この前面カバー２２は下面が開口する略矩形箱状であって、例えば透明なアクリル樹脂などにより形成されており、前面カバー２２をカバー３に取付けた状態でも液晶表示部１２の表示内容や各スイッチの設定状態などが確認できるようになっている。
【００４１】
ここで、タイムスイッチの組立手順について図１〜図７に基づいて説明する。まず、ボディ２の底面にレール取付具８を取付けるとともに、基板本体３８ａが基板収納部２ｈ側、端子台ブロック６が端子台収納部２ｂ、２ｂ側となるように前面側から基板ブロック４をボディ２内に組み込む。この時、端子台９は両ガイド溝９ｅ、９ｅ内にボディ２の端子台ガイド片２ｋ、２ｋがそれぞれ挿通されるとともに、端子台９の上側の側面を両端子台ガイド壁２ｇ、２ｇに当接させることでガイドされ、各ガイド溝９ｅ内の嵌合突起９ｆがそれぞれ対応する端子台ガイド片２ｋの嵌合孔２ｐに嵌合することでボディ２に固定される。尚、この状態において端子台９は、下面が端子台受け部２ｎの上面に当接した状態で配置される。また、基板本体３８ａは、基板ガイド部２ｍの傾斜面に当接しながら基板収納部２ｈ内に収納され、下面が４つの基板受け部２ｅの各当接面に当接した状態で載置される。
【００４２】
次に、基板本体３８ａに設けた各導電パターン４２に対して各プッシュ型ボタン１３ａが対応するように設定用スイッチ部１３を基板本体３８ａに取付ける（図５参照）。さらに、カバー３を前面側からボディ２に被着するとともにボディ２の各係合爪２ｄを対応するカバー３の係合孔３ｋにそれぞれ係合させてケース１を組立てる（図７参照）。
【００４３】
この時、液晶表示部１２は開口窓３ｄを臨んだ状態で配置され、設定用スイッチ部１３の各プッシュ型ボタン１３ａは操作部を露出部３ｅの対応する孔からそれぞれ露出させた状態で配置される。また、出力状態表示部１４ａ及び通電状態表示部１４ｂは、それぞれ露光窓３ｆ、３ｈを臨んだ状態で配置されるとともに、動作設定スイッチ１５及びモード切替スイッチ１６は操作部を溝３ｇ、３ｊと連通する露出孔からそれぞれ露出させた状態で配置され、さらに端子台ブロック６はカバー３の切欠部３ｂを臨んだ状態で配置される。さらに、基板本体３８ａは、カバー３の基板押さえ部３ｍの下面と、ボディ２の基板受け部２ｅの当接面（上面）との間で挟持される。尚、この状態においてボディ２の各端子台ガイド片２ｋは、図６に示すようにカバー３の長手方向に沿う各側壁とそれぞれ当接しており、カバー３により外側への移動が規制されているので、端子台ブロック６をケース１に強固に固定することができる。
【００４４】
最後に、摘み１８、１８を動作設定スイッチ１５及びモード切替スイッチ１６の操作部にそれぞれ取付けるとともに溝３ｇ、３ｊ内に配置し、さらに前面側から操作部表示シート７をカバー３の取付凹所３ｌ内に固着した後、端子カバー（図示せず）を端子台ブロック６を覆うようにカバー３に取付けると、タイムスイッチの組立てが完了する。
【００４５】
さらに、組立てられたタイムスイッチはＤＩＮレールに取付けられたり、固定ねじ２５を用いて被取付部に取付けられ、電源線や負荷Ｌからの電線（ともに図示せず）がカバー３の切欠部３ｂを通して端子台ブロック６の電源接続端子３６、３６及び負荷接続端子３７、３７にそれぞれ接続される。そして、端子カバーを固定ねじ（図示せず）を用いて端子台９に螺着し、前面カバー２２をカバー３に被着するとタイムスイッチの取付けが完了する。
【００４６】
次に、タイムスイッチによる負荷Ｌの制御動作について図９に基づいて説明する。制御部１７が動作を開始すると（ステップＳ１）、時計部３１により現在時刻の計時動作を行わせた後（ステップＳ２）、制御部１７は動作設定スイッチ１５のスライド操作によって設定された動作が自動動作であるか否かを判定する（ステップＳ３）。ステップＳ３において自動動作であると判定した場合には、制御部１７はプログラム記憶部３３に記憶されたプログラムで設定した曜日及び時刻と、現在の曜日及び時刻とを比較し（ステップＳ４）、現在の曜日及び時刻が設定された曜日及び時刻に一致すると制御部１７は出力部１９に対してオン／オフ指令を出力し、このオン／オフ指令に基づいて出力部１９が負荷Ｌをオン／オフさせる（ステップＳ５）。
【００４７】
また、ステップＳ３において自動動作でないと判定した場合には、制御部１７は動作設定スイッチ１５のスライド操作によって設定された動作が連続入動作または連続切動作であるか否かを判定する（ステップＳ６）。ステップＳ６において連続入動作または連続切動作であると判定した場合には、制御部１７はプログラムに関係なく出力部１９に対して連続的にオン／オフ指令を出力し、このオン／オフ指令に基づいて出力部１９が負荷Ｌを連続的にオン／オフさせる（ステップＳ７）。
【００４８】
さらに、ステップＳ６において連続入動作または連続切動作の何れでもないと判定した場合には、制御部１７は動作設定スイッチ１５のスライド操作によって設定された動作が手動一時入動作または手動一時切動作であるか否かを判定する（ステップＳ８）。ステップＳ８において手動一時入動作または手動一時切動作であると判定した場合には、制御部１７はプログラムに関係なく出力部１９に対して一時的にオン／オフ指令を出力し、このオン／オフ指令に基づいて出力部１９が負荷Ｌを一時的にオン／オフさせる（ステップＳ９）。
【００４９】
そして、負荷Ｌの制御動作が終了すると、計時動作に戻り（ステップＳ２）、以降、上記ステップＳ２〜Ｓ９を繰り返して負荷Ｌの動作制御を行う。
【００５０】
本実施形態のタイムスイッチでは、端子台９に設けた嵌合突起９ｆをボディ２に設けた嵌合孔２ｐに嵌合させるだけで端子台ブロック６をボディ２に固定することができるので、固定ねじを用いて固定する場合と比較して組立性を向上させることができ、また端子台ブロック６に電源や負荷からの電線を接続する際に端子台９に加わる力をカバー３及びボディ２で受けることで基板本体３８ａに応力が加わりにくくなる。
【００５１】
さらに、基板本体３８ａは固定ねじを用いてねじ固定しておらずボディ２の基板受け部２ｅとカバー３の基板抑押さえ部３ｍで構成される挟持手段のみで保持しており、端子台９からの力が基板本体３８ａに加わった場合でも両挟持手段間の遊びにより基板本体３８ａを移動させることができるので、基板本体３８ａに応力が加わることがなく、また周囲温度の変化に応じて基板本体３８ａを伸縮させることもできる。また、ボディ２側に基板受け部２ｅ、端子台受け部２ｎ、基板ガイド部２ｍ及び端子台ガイド部（端子台ガイド壁２ｇ及び端子台ガイド片２ｋ）を設けており、基板ブロック４をボディ２側に組み込むことで組み込み時に加わる力をボディ２側で受けているので、表示素子（液晶表示部１２及びＬＥＤ表示部１４）や操作スイッチ（設定用スイッチ部１３、動作設定スイッチ１５及びモード切替スイッチ１６）が露出するカバー３の表面が傷つけられることがなく、見栄えのよいタイムスイッチを提供することができる。さらに、上述したようにボディ２に対して基板ブロック４、設定用スイッチ部１３、カバー３の順に組立てることで組立性のよいタイムスイッチを提供することができる。
【００５２】
尚、本実施形態では、カバー３に係合孔３ｋを、ボディ２に係合爪２ｄを設けた場合を例に説明したが、カバー３に係合爪を、ボディ２に係合孔を設けてもよく、ボディ２とカバー３を容易に結合させることができ、組立性のよいタイムスイッチを提供することができる。
【図面の簡単な説明】
【００５３】
【図１】本実施形態のタイムスイッチの縦断面図である。
【図２】同上の分解斜視図である。
【図３】同上の斜視図である。
【図４】同上の組立手順を示す斜視図である。
【図５】同上の組立手順を示す別の斜視図である。
【図６】同上の端子台ブロックとボディの嵌合状態を示す横断面図である。
【図７】同上のカバーとボディの嵌合状態を示す横断面図である。
【図８】同上に用いられる基板に形成されたタイマ回路のブロック図である。
【図９】同上の負荷の制御動作を示すフローチャート図である。
【符号の説明】
【００５４】
１  ケース
２  ボディ（下ケース部）
２ｄ  係合爪
２ｅ  基板受け部
２ｐ  嵌合孔（嵌合部）
３  カバー（上ケース部）
３ｋ  係合孔
３ｍ  基板押さえ部
９  端子台
９ｆ  嵌合突起（嵌合部）
１２  液晶表示部
１３  設定用スイッチ部
１４  ＬＥＤ表示部
１５  動作設定スイッチ
１６  モード切替スイッチ
１９ａ  リレー
２３  演算素子
３６  電源接続端子
３７  負荷接続端子
３８ａ  基板本体
【図１】
0004931146.tif 000002
【図２】
0004931146.tif 000003
【図３】
0004931146.tif 000004
【図４】
0004931146.tif 000005
【図５】
0004931146.tif 000006
【図６】
0004931146.tif 000007
【図７】
0004931146.tif 000008
【図８】
0004931146.tif 000009
【図９】
0004931146.tif 000010